(57)【要約】【課題】押ボタンの異常を検出できるとともに、押ボタンの異常時であっても乗かごを継続的に利用させることができるエレベータ装置の提供。【解決手段】本発明に係るエレベータ装置は、乗かご１０４と、この乗かご１０４の昇降を制御する制御盤１０２と、乗かご１０４の昇降に関係して設けられた押ボタン、例えば乗場ボタン１０１を備え、乗場ボタン１０１が、可動接点３，５と固定接点４，６を含む接点スイッチと、圧力センサ１とを有するとともに、制御盤１０２が、乗場ボタン１０１の接点スイッチの異常の有無を判断する接点スイッチ異常判断手段と、圧力センサ１の異常の有無を判断する圧力センサ異常判断手段と、接点スイッチ異常判断手段で接点スイッチが異常と判断されたとき、または圧力センサ異常判断手段で圧力センサ１が異常と判断されたときに、呼び登録を行う呼び登録手段を含んでいる。【選択図】図２
2016044060.tif 000002
【特許請求の範囲】
【請求項１】
乗かごと、この乗かごの昇降を制御する制御装置と、前記乗かごの昇降に関係して設けられる押ボタンとを備え、前記押ボタンが、接点スイッチと圧力センサとを含むエレベータ装置において、
前記押ボタンの前記接点スイッチの異常の有無を判断する接点スイッチ異常判断手段と、前記押ボタンの前記圧力センサの異常の有無を判断する圧力センサ異常判断手段と、前記接点スイッチ異常判断手段で前記接点スイッチに異常を生じていると判断されたとき、または前記圧力センサ異常判断手段で前記圧力センサに異常を生じていると判断されたときに、呼び登録を行う呼び登録手段とを備えたことを特徴とするエレベータ装置。
【請求項２】
請求項１に記載のエレベータ装置において、
前記制御装置は、前記接点スイッチ異常判断手段と、前記圧力センサ異常判断手段と、前記呼び登録手段とを含むことを特徴とするエレベータ装置。
【請求項３】
請求項２に記載のエレベータ装置において、
前記制御装置に接続され、エレベータを監視する遠隔監視装置と、この遠隔監視装置と通信網を介して遠隔的に接続される監視センタとを備え、
前記制御装置は、前記接点スイッチ異常判断手段によって前記接点スイッチに異常を生じていると判断されたとき、及び前記圧力センサ異常判断手段によって前記圧力センサに異常を生じていると判断されたときに、前記遠隔監視装置を介して前記監視センタに異常発報する発報手段を含むことを特徴とするエレベータ装置。
【請求項４】
請求項３に記載のエレベータ装置において、
前記押ボタンは、乗場に設けられた乗場ボタン、及び前記乗かご内に設けられたかご内ボタンの少なくとも一方を含むことを特徴とするエレベータ装置。
【請求項５】
請求項４に記載のエレベータ装置において、
前記押ボタンは、枠体と、この枠体内に移動可能に収納されたボタン本体と、前記枠体に収納され、前記ボタン本体の表側に配置された前記圧力センサと、前記枠体に収納され、前記ボタン本体の裏面側に取り付けられた可動接点、及び前記枠体に収納され、前記可動接点の当接により接点信号を出力する固定接点を有する前記接点スイッチと、前記枠体に収納され、前記接点スイッチの前記可動接点が前記固定接点から離れるように前記ボタン本体を付勢する戻しばねとを含むことを特徴とするエレベータ装置。
【発明の詳細な説明】
【技術分野】
【０００１】
本発明は、乗かごの昇降に関連して設けられた押ボタンを備え、この押ボタンが接点スイッチと圧力センサとを有するエレベータ装置に関する。
【背景技術】
【０００２】
図３に示すように、一般的にエレベータ装置にあっては、乗場に設置された押ボタン、すなわち乗場ボタン１０１を押すことにより、昇降路内に設けられた制御装置、すなわち制御盤１０２に信号が入力され、制御盤１０２からの指令により、昇降路内に設置された巻上機１０３を作動させて、乗かご１０４を昇降させるようになっている。これにより、到着した乗かご１０４に乗り込んだ利用者は、乗かご１０４内に設置された目的階に応じた押ボタン、すなわち行先階ボタン１０５を操作する。
【０００３】
また、乗かご１０４には自動開閉するドアが設置されており、乗かご１０４内に設置された開閉用の押ボタン、すなわちドア開閉ボタン１０６によりドアの開閉が可能になっている。行先階ボタン１０５、及びドア開閉ボタン１０６は、かご内ボタンを構成している。
【０００４】
前述のように、乗場ボタン１０１、行先階ボタン１０５、ドア開閉ボタン１０６の操作により、エレベータを自動制御することで、誰もが乗かご１０４に乗り、昇降することが可能である。このようなことから、乗場ボタン１０１、行先階ボタン１０５、ドア開閉ボタン１０６等の押ボタンは、エレベータの重要な構成要素となっている。
【０００５】
このような重要な構成要素を構成する乗場ボタン１０１、行先階ボタン１０５、ドア開閉ボタン１０６が、使い方不良や悪戯等によって破損、あるいは故障し、使用できなくなってときには、エレベータの利用ができなくなる。このことは、高層ビルのエレベータの場合などにあっては特に深刻な問題となる。
【０００６】
一般的な乗場ボタン１０１、行先階ボタン１０５、ドア開閉ボタン１０６等の押ボタンでは、ボタン本体は、戻しばねの付勢力により定位置に復帰する。利用客が乗かごの利用時に指等で押ボタンを押すと、内部の接点が閉路となり信号が出力される。しかし、このような押ボタンにあっては、押ボタンを指等で押し、その指等を押ボタンから離した際に元の状態に復帰しないことが起こり得る。この状態を「セリの状態に有る。」と呼ぶが、このセリの状態では、押ボタンの内部の接点が閉路の状態を維持するために、信号が出力され続けてしまう。これにより、利用者が存在していない乗場に乗かごをサービスしてしまうとか、ドア開閉制御ができなくなって乗かごの利用者がドアに挟まれる等の不測の事態が起こり得る。
【０００７】
このようなことから、従来、押ボタンの内部に通常の信号伝達用の接点スイッチに加えて、圧力センサを備えた構成が特許文献１に開示されている。この特許文献１に開示された従来技術は、押ボタンに備えられた圧力センサからの信号を制御盤に取り込むことで、不良を生じている押ボタンを簡単に特定でき、修理、交換等に早期に対応することが可能となっている。
【先行技術文献】
【特許文献】
【０００８】
【特許文献１】特開平１１−４３２６８号公報
【発明の概要】
【発明が解決しようとする課題】
【０００９】
特許文献１に開示された従来技術では、セリが発生した押ボタンを特定することで、セリによる故障の事後において、迅速に対応することが可能となっている。しかしながら、この従来技術では、押ボタンの修理、交換等が済むまでは乗かごの利用は不可能となる。したがって、乗かごの利用者に対するサービス性の点で問題があった。
【００１０】
本発明は、前述した従来技術における実情からなされたもので、その目的は、押ボタンの異常を検出できるとともに、押ボタンの異常時であっても乗かごを継続的に利用させることができるエレベータ装置を提供することにある。
【課題を解決するための手段】
【００１１】
前記目的を達成するために、本発明に係るエレベータ装置は、乗かごと、この乗かごの昇降を制御する制御装置と、前記乗かごの昇降に関係して設けられる押ボタンとを備え、前記押ボタンが、接点スイッチと圧力センサとを含むエレベータ装置において、前記押ボタンの前記接点スイッチの異常の有無を判断する接点スイッチ異常判断手段と、前記押ボタンの前記圧力センサの異常の有無を判断する圧力センサ異常判断手段と、前記接点スイッチ異常判断手段で前記接点スイッチに異常を生じていると判断されたとき、または前記圧力センサ異常判断手段で前記圧力センサに異常を生じていると判断されたときに、呼び登録を行う呼び登録手段とを備えたことを特徴としている。
【発明の効果】
【００１２】
本発明に係るエレベータ装置は、接点スイッチ異常判断手段と圧力センサ異常判断手段とを備えていることから、これらの異常判断手段によって、押ボタンに含まれる接点スイッチまたは圧力センサの異常による押ボタンの異常を検出することができる。また、本発明は、接点スイッチまたは圧力センサに異常を生じたときでも、呼び登録手段によって呼び登録を行い、乗かごの利用を継続させることができる。すなわち本発明は、接点スイッチまたは圧力センサのどちらか一方の異常による押ボタンの異常発生時であっても、乗かごを継続的に利用させることができ、従来に比べて乗かごの利用者に対するサービス性を向上させることができる。
【図面の簡単な説明】
【００１３】
【図１】本発明に係るエレベータ装置の一実施形態における異常の有無検出対象となる乗場ボタンを示す図で、（ａ）図は押される前の状態を示す図、（ｂ）図は押された後の状態を示す図である。
【図２】本実施形態に係るエレベータ装置に備えられる制御装置を構成する制御盤における処理手順を示すフローチャートである。
【図３】一般的なエレベータ装置の概略側面図である。
【発明を実施するための形態】
【００１４】
以下、本発明に係るエレベータ装置の実施の形態を図面に基づいて説明する。
【００１５】
なお、本実施形態に係るエレベータ装置の外観的な構成は、例えば前述した図３に示すものと同等であるので、以下にあっては必要に応じて図３に示した符号を用いて説明を行う。
【００１６】
図１は、本発明に係るエレベータ装置の一実施形態における異常の有無検出対象となる乗場ボタンを示す図で、（ａ）図は押される前の状態を示す図、（ｂ）図は押された後の状態を示す図である。前述した図３に示した乗場ボタン１０１、行先階ボタン１０５、及びドア開閉ボタン１０６等の押ボタンは、基本的には同等の構成となっている。したがって以下にあっては、異常検出対象の押ボタンを例えば前述した乗場ボタン１０１として説明を行う。
【００１７】
図１に示すように、乗場ボタン１０１は、枠体８と、この枠体８に移動可能に収納されたボタン本体１０と、枠体８に収納され、ボタン本体１０の表面側、すなわち指等による押圧力が直接に与えられる側に配置された圧力センサ１とを備えている。また、この乗場ボタン１０１は、それぞれ枠体８に収納され、ボタン本体１０の裏面側に取り付けられた可動接点３，５と、これらの可動接点３，５が当接することにより接点信号を出力する固定接点４，６とから成る接点スイッチを含んでいる。また、この乗場ボタン１０１は、枠体８に収納され、可動接点３，５が固定接点４，６から離れるようにボタン本体１０を付勢する戻しばね７を含んでいる。
【００１８】
本実施形態に係るエレベータ装置は、乗場ボタン１０１の前述した可動接点３，５及び固定接点４，６を含む接点スイッチの異常の有無を判断する接点スイッチ異常判断手段と、乗場ボタン１０１の圧力センサ１の異常の有無を判断する圧力センサ異常判断手段とを備えている。また、本実施形態は、接点スイッチ判断手段によって接点スイッチに異常が生じていると判断されたとき、または圧力センサ異常判断手段によって圧力センサ１に異常が生じていると判断されたときに、呼び登録を行う呼び登録手段を備えている。
【００１９】
例えば、乗かご１０４の昇降を制御する制御装置、すなわち前述した制御盤１０２は、前述した接点スイッチ異常判断手段と、圧力センサ異常判断手段と、呼び登録手段とを含んでいる。
【００２０】
また、本実施形態は、制御盤１０２に接続され、エレベータと同じ建物に設けられて、このエレベータを監視する遠隔監視装置と、この遠隔監視装置と通信網を介して遠隔的に接続される監視センタとを備えている。
【００２１】
前述した制御盤１０２は、接点スイッチ異常判断手段によって接点スイッチに異常が生じていると判断されたとき、及び圧力センサ異常判断手段によって圧力センサに異常が生じていると判断されたときに、遠隔監視装置を介して監視センタに異常発報する発報手段も含んでいる。
【００２２】
図２は、本実施形態に係るエレベータ装置に備えられる制御装置を構成する制御盤における処理手順を示すフローチャートである。
【００２３】
本実施形態に備えられる制御盤１０２は、図２に示すように、乗場ボタン１０１が押されると（手順Ｓ１１）、接点スイッチ異常判断手段によって固定接点４，６から接点信号が出力されたかどうか、すなわち接点スイッチの異常の有無を判断する（手順Ｓ１２）。この判断で接点スイッチから信号が出力され、接点スイッチに異常を生じていないと判断されると、圧力センサ異常判断手段によって圧力センサ１の異常の有無が判断される（手順Ｓ１３）。この手順Ｓ１３の判断で、圧力センサ１に異常を生じていないと判断されると、呼び登録手段によって乗場１０１からの呼びを登録し（手順Ｓ１８）、乗かご１０４を、この呼びに応答させるように制御盤１０２は制御する。
【００２４】
また、前述した手順Ｓ１２の判断で、接点信号が出力されず、接点スイッチに異常を生じていると判断されたときには、圧力センサ異常判断手段によって圧力センサ１の異常の有無が判断される（手順Ｓ１４）。この判断で圧力センサ１に異常を生じているときは、接点スイッチと圧力センサ１の双方に異常を生じていることになり、制御盤１０２の発報手段から遠隔監視装置を介して監視センタに異常が発報される（手順Ｓ１５）。この異常発報を受けた監視センタは、直ちに保守員を現場に派遣し、該当する乗場ボタン１０１の修理、交換等を指示する。
【００２５】
手順Ｓ１４の判断で、圧力センサ１に異常を生じていないと判断されたときには、接点スイッチに異常を生じていると判定され（手順Ｓ１７）、呼び登録手段によって呼び登録を行う（手順Ｓ１８）。
【００２６】
手順Ｓ１７で接点スイッチに異常を生じていると判断されたときには、制御盤１０の発報手段から遠隔監視装置を介して監視センタに異常が発報される。監視センタは、直ちに保守員を現場に派遣し、該当する乗場ボタン１０１の修理、交換等を指示する（手順Ｓ２６）。
【００２７】
また、前述した手順Ｓ１３で、圧力センサ１に異常を生じていると判断されたときには、圧力センサ１の異常と判定され（手順Ｓ１６）、呼び登録手段で呼び登録を行う（手順Ｓ１８）。
【００２８】
手順Ｓ１８の呼び登録によって、乗かご１０４がその呼びに応答し、呼び登録階に到着した（手順Ｓ１９）後、接点スイッチ異常判断手段によって接点スイッチの異常の有無、すなわち接点スイッチからの接点信号がｏｆｆになったかどうかが判断される（手順Ｓ２０）。ｏｆｆになっていない場合には、接点スイッチがセリ状態であると判定し（手順Ｓ２１）、この出力され続けている接点信号をカット（強制ｏｆｆ）する（手順Ｓ２２）。
【００２９】
次に、圧力センサ異常判断手段によって異常の有無、すなわち圧力センサ１からの信号がｏｆｆになったかどうかが判断される。
【００３０】
ｏｆｆになっていない場合は、圧力センサ１がセリ状態であると判定し（手順Ｓ２４）、この圧力センサ１から出力され続けている信号をカット（強制ｏｆｆ）して（手順Ｓ２５）、処理を終了する。
【００３１】
前述した手順Ｓ２１で接点スイッチがセリ状態であると判定されたとき、また手順Ｓ２４で圧力センサ１がセリ状態であると判定されたときには、制御盤１０２の発報手段から遠隔監視装置を介して、監視センタに異常が発報される。監視センタは、直ちに保守員を現場に派遣し、該当する乗場ボタン１０１の修理、交換等を指示する（手順Ｓ２６）。
【００３２】
このように構成した本実施形態にあっては、制御盤１０２が接点スイッチ異常判断手段と圧力センサ異常判断手段とを備えていることから、これらの異常判断手段によって乗場ボタン１０１に含まれる接点スイッチ、または圧力センサ１の異常による乗場ボタン１０１の異常を検出することができる。また、本実施形態は、接点スイッチ、圧力センサ１の一方に異常を生じたときでも、制御盤１０２の呼び登録手段によって呼び登録を行い乗かご１０４の昇降を継続させることかできる。すなわち本実施形態は、接点スイッチまたは圧力センサ１の異常発生時に、乗かご１０４の継続的な利用を可能にし、乗かご１０４の利用者に対するサービス性を向上させることができる。
【００３３】
なお、前述した実施形態では、異常検出対象の押ボタンとして乗場ボタン１０１を挙げて説明したが、かご内ボタンを構成する行先階ボタン１０５、ドア開閉ボタン１０５等に対しても本実施形態を適用できることはもちろんである。
【符号の説明】
【００３４】
１    圧力センサ
３    可動接点
４    固定接点
５    可動接点
６    固定接点
７    戻しばね
８    枠体
１０    ボタン本体
１０１  乗場ボタン（押ボタン）
１０２  制御盤（制御装置）
１０３  巻上機
１０４  乗かご
１０５  行先階ボタン（かご内ボタン）〔押ボタン〕
１０６  ドア開閉ボタン（かご内ボタン）〔押ボタン〕
【図１】
2016044060.tif 000003
【図２】
2016044060.tif 000004
【図３】
2016044060.tif 000005